(57)【特許請求の範囲】
【請求項１】
ハウジング（２４）を含むシェービングカートリッジ（１４）であって、前記ハウジング（２４）はルブラ（２８）が設けられた上面（２４Ｃ）を有し、前記シェービングカートリッジ（１４）は１つ以上のシェービングブレード（２０）を有し、前記シェービングブレード（２０）のそれぞれには刃先（２２）が設けられている、シェービングカートリッジ（１４）と、
少なくとも１つのシェービング補助部が設けられたフレーム（３４）を備えるアダプター（１６）であって、前記アダプター（１６）は前記シェービングカートリッジ（１４）に対して装着可能であり、少なくとも１つのシェービング補助部（３２）は、前記フレーム（３４）に対して反転可能に装着されており、
前記フレーム（３４）は少なくとも１つのシェービング補助部（３２）を保持するように構成された少なくとも１つのシェービング補助部ホルダー（４６）を備えており、前記シェービング補助部ホルダー（４６）は前記フレーム（３４）に反転可能に装着されており、前記アダプター（１６）が前記シェービングカートリッジ（１４）に装着されると前記シェービング補助部は前記シェービングカートリッジ（１４）に対して外側に延びるシェービングアセンブリ。
【請求項２】
前記フレーム（３４）は、第１の壁（３６）と、前記第１の壁（３６）と反対側である第２の壁（３８）と、前記第１の壁（３６）から前記第２の壁（３８）まで延在している側壁（４０）と、第１の端（４２）と、反対側の第２の端（４４）と、を有し、前記第１の壁（３６）は第１の開口部（３６Ａ）を備え、
その結果、前記フレーム（３４）は、シェービングカートリッジ（１４）に装着可能であり、その結果、１つまたは複数のシェービングブレード（２０）の刃先（２２）は覆われていないとともに、前記第１の開口部（３６Ａ）を通じてアクセス可能であることを特徴とする請求項１に記載のシェービングアセンブリ。
【請求項３】
前記フレーム（３４）がシェービングカートリッジ（１４）に対して装着可能であるように、前記フレーム（３４）の第２の壁（３８）は第２の開口部（３８Ａ）を有し、それによって１つまたは複数のシェービングブレード（２０）の刃先（２２）は、覆われていないとともに、前記第１の開口部（３６Ａ）または前記第２の開口部（３８Ａ）のいずれかを通してアクセス可能である請求項２に記載のシェービングアセンブリ。
【請求項４】
前記フレーム（３４）は、ヒンジ（３５）によって接続された２つの部品（３４Ａ、３４Ｂ）を備えることを特徴とする請求項２または３に記載のシェービングアセンブリ。
【請求項５】
前記フレーム（３４）の第１の壁（３６）の第１の端（４２）は、第１の端開口部（４２Ａ）を有し、
その結果、前記フレーム（３４）は、前記第１の端開口部（４２Ａ）を通じてシェービングカートリッジ（１４）にスライド可能に装着できることを特徴とする請求項２または３に記載のシェービングアセンブリ。
【請求項６】
前記少なくとも１つのシェービング補助部（３２）は、潤滑剤、保湿剤、調整剤、及び／又は剥離剤を備えているシェービング補助部本体（３２）を有することを特徴とする請求項１から５のいずれか一項に記載のシェービングアセンブリ。
【請求項７】
前記少なくとも１つのシェービング補助部（３２）がフレーム（３４）に関して解放可能であることを特徴とする請求項１から６のいずれか一項に記載のシェービングアセンブリ。
【請求項８】
前記アダプター（１６）は、スライド可能に装着可能および／またはスナップフィットによってまたはシェービングカートリッジ（１４）上に摩擦的にまたは解放可能にまたは弾性的に包囲することによって装着可能であるようにさらに構成されている請求項７に記載のシェービングアセンブリ。
【請求項９】
カミソリハンドル（１２）と、
請求項７に記載のシェービングアセンブリと、
を備えるカミソリであって、
前記シェービングアセンブリ（１８）には、前記シェービングアセンブリ（１８）をカミソリハンドル（１２）に接続するための接続手段（３０）が設けられていることを特徴とするカミソリ。
【請求項１０】
請求項９に記載のカミソリを用いたシェービング方法であって、
前記シェービング補助部（３２）の第１の面が、使い古されたとき、前記シェービングカートリッジ（１４）から前記アダプターを分離することなく前記カミソリハンドル（１２）及び前記シェービングカートリッジ（１４）を保持したまま、前記第１の面の反対側の第２の面によって置き換えられるように、前記シェービング補助部ホルダー（４６）は前記フレーム（３４）にて回される、方法。
【発明の詳細な説明】
【技術分野】
【０００１】
本願発明は、シェービングカートリッジのためのアダプターに関し、カートリッジ及びアダプターを含んでいるシェービングアセンブリに関し、カミソリハンドル及びそのようなアセンブリを有するカミソリに関し、そしてシェービング方法に関する。
【０００２】
特に、本願発明は、シェービングカートリッジ及び当該シェービングカートリッジに直接的に取り付けられたシェービング補助部を有するシェービング用カミソリに関連する。
【背景技術】
【０００３】
そのようなカミソリは、シェービングの前に、シェービングフォーム、ゲル、又はクリームなどの肌に塗るべきシェービング調整剤の使用を避ける。加えて、シェービングカートリッジに直接的に設けられたそのようなシェービング補助部は、湿ったシェービング環境内でシェービングを可能にし、例えば、表面がシェービングされ得る前に、シェービング調整剤がすぐに取り除かれるであろうシャワー内でシェービングを可能にする。
【０００４】
それ故に、シェービングカートリッジには、シェービングを改善するために、シェービングカートリッジに取り付けられたさらなるシェービング補助部が設けられている。
【０００５】
しかしながら、さらなるシェービング補助部が設けられたシェービングカートリッジは、シェービング補助部に永久的に接続される。その結果として、シェービングブレードが鈍くなっていないがシェービング補助部が使い古された場合に、（さらなるシェービング補助部を有する）シェービングカートリッジ全体は、シェービングが悪化した状態にならない限り、捨てられる必要がある。
【０００６】
それ故に、周知のシェービングカートリッジは、シェービングカートリッジ全体を交換しない限り、シェービング補助部が使い古されるとすぐに、良好な状態でのシェービングを可能にしない。さらに、使用者には、例えば、正確性が必要な場合に又は衛生的な理由のために１つ以上のシェービング補助部を取り除くための選択肢を付与されるべきである。
【発明の概要】
【発明が解決しようとする課題】
【０００７】
この目的のために、シェービングカートリッジのためのアダプターであって、アダプターには少なくとも１つのシェービング補助部が設けられており、前記アダプターは１つ以上のシェービングブレードを有するシェービングカートリッジに対してスライド可能に装着でき、シェービングブレードのそれぞれには、刃先が設けられている、アダプターが提供される。
【０００８】
この目的のために、シェービングカートリッジのためのアダプターであって、アダプターには少なくとも１つのシェービング補助部が設けられており、前記アダプターは１つ以上のシェービングブレードを有するシェービングカートリッジに対して反転可能に装着でき、シェービングブレードのそれぞれには、刃先が設けられている、アダプターが提供される。
【０００９】
この目的のために、シェービングカートリッジのためのアダプターであって、前記アダプターがフレームを備え、当該フレームには少なくとも１つのシェービング補助部が設けられており、前記アダプターは１つ以上のシェービングブレードを有するシェービングカートリッジに装着可能であり、シェービングブレードのそれぞれには、刃先が設けられており、少なくとも１つのシェービング補助部はフレームに対して反転可能に装着される、アダプターが提供される。
【００１０】
本願発明のアダプターの反転性は、平面に関してであってもよい（シェービング補助部は、その平面に対して垂直な軸まわりの回転によって反転される。）。その一方で、この反転性はまた、その平面内に含まれた軸に関してであることを意味することもできる（シェービング補助部は、その平面内に含まれた軸まわりの回転によって反転される。）。
【００１１】
反転性が平面（例えば、刃先を含んでいる平面）内で行われた場合に、少なくとも１つのシェービング補助部の位置は刃先の位置に関して変更されるであろう。もっと正確に言えば、シェービング補助部が刃先の前方部の前方に位置する場合に、反転後に、シェービング補助部が刃先の後方に位置するであろう。このことは、シェービング補助部の同じ面がシェービングのために使用されることを意味する。変更したものは、ブレードに関するその位置だけである。
【００１２】
反転性が平面（例えば、刃先を含んでいる平面）に対して垂直に行われた場合に、少なくとも１つのシェービング補助部の位置は、刃先の位置に関して変更されないであろう。もっと正確に言えば、シェービング補助部が刃先の前方部の前方に位置する場合に、反転後に、そのシェービング補助部は依然として刃先の前方に位置しているであろう。このことは、シェービング補助部の反対側の面がシェービングのために使用されることを意味する。つまり、シェービング補助部はこの場合において、好ましくは第１面及び反対側の第２面を有する。
【００１３】
本願発明のアダプターはそれ故に、シェービング補助部が使い古された場合にシェービングカートリッジのさらなる使用を可能にする。
【００１４】
本願発明の様々な実施形態において、以下の特徴のうちのどれか１つの特徴及び／又は複数の特徴は、単独で又は相互の組み合わせでこのアダプターに組み込まれることができる。
アダプターは、１つ以上のシェービングブレードを有するシェービングカートリッジに対してスライド可能に装着できるように適合され、且つ／又は当該シェービングカートリッジに対してスナップフィット又は包囲することによって装着可能であるように適合され、シェービングブレードのそれぞれには刃先が設けられている。
フレームをさらに備え、前記フレームは、第１の壁と、前記第１の壁と反対側である第２の壁と、前記第１の壁から前記第２の壁へ延在している側壁と、第１の端と、反対側の第２の端とを有し、前記第１の壁は第１の開口部を有しており、前記フレームは、１つ以上のシェービングブレードの前記刃先が覆われておらず、且つシェービングのための第１の開口部を通じてアクセス可能であるように、シェービングカートリッジに対して装着可能である。この場合において、フレームの第２の壁は、第２の開口部を有してもよく、前記フレームは、１つ以上のシェービングブレードの刃先が覆われておらず、且つ第１の開口部又は第２の開口部を通じてアクセス可能であるように、シェービングカートリッジに対して装着可能であってもよい。加えて、フレームはヒンジによって接続された２つの部品を備えてもよい。加えて、第１の端は第１の端開口部を有してもよく、フレームは、前記第１の端開口部を通じてシェービングカートリッジに対してスライド可能に装着できてもよい。
前記アダプターは、シェービングカートリッジを摩擦で受容するように適合される。
前記アダプターは、シェービングカートリッジに対して解放可能に装着できる。
前記アダプターは、シェービングカートリッジに対して弾性的に装着可能である。
前記少なくとも１つのシェービング補助部は、潤滑剤、保湿剤、調整剤、及び／又は剥離剤を備えるシェービング補助部本体を有する。
前記アダプターは、少なくとも１つのシェービング補助部、特にシェービング補助部本体を保持するように構成された少なくとも１つのシェービング補助部ホルダーをさらに備える。
フレームをさらに備え、前記少なくとも１つのシェービング補助部はフレームに関して解放可能である。
フレームをさらに備え、前記少なくとも１つのシェービング補助部はフレームに関して静止している。
【００１５】
本願発明は、１つ以上のシェービングブレードを有するシェービングカートリッジであって、シェービングブレードのそれぞれには刃先が設けられている、シェービングカートリッジと、アダプターであって、前記アダプターがシェービングカートリッジに対して装着可能であり、アダプターがシェービングカートリッジに装着される場合に、前記少なくとも１つのシェービング補助部がシェービングカートリッジに関して外側に延在している、アダプターと、を備えるシェービングアセンブリにも関心がある。
【００１６】
本願発明は、カミソリハンドルと、そのようなシェービングアセンブリとを備えるカミソリであって、前記シェービングアセンブリには、シェービングアセンブリをカミソリハンドルに接続するための接続手段が設けられている、カミソリにも関心がある。
【００１７】
本願発明は、使い古された場合に、シェービング補助部が交換される、且つ／又はシェービングカートリッジに対して反転されるのに対して、カミソリハンドル及びシェービングヘッドが維持される、そのようなカミソリでのシェービング方法にも関心がある。
【００１８】
本願発明の他の特徴及び利点は、添付した図面を参照して、非限定的な例示として提供された一の実施形態の以下の説明から容易に明らかになるであろう。
【図面の簡単な説明】
【００１９】
【図１Ａ】ハンドル本体に接続されたシェービングカートリッジに接続された本願発明のアダプターの斜視図である。
【図１Ｂ】シェービングカートリッジから図１Ａのアダプターを分離する方法を図示する、図１Ａのカミソリの斜視図である。
【図１Ｃ】シェービングカートリッジから図１Ａのアダプターを分離する方法を図示する、図１Ａのカミソリの断面図である。
【図１Ｄ】シェービングカートリッジに対して図１Ａのアダプターを取り付ける方法を図示する、図１Ａのカミソリの斜視図である。
【図１Ｅ】シェービングカートリッジに対して図１Ａのアダプターを取り付ける方法を図示する、図１Ａのカミソリの斜視図である。
【図１Ｆ】シェービングカートリッジに対して図１Ａのアダプターを取り付ける他の方法を図示する、図１Ａのカミソリの斜視図である。
【図１Ｇ】シェービングカートリッジに対して図１Ａのアダプターを取り付ける他の方法を図示する、図１Ａのカミソリの斜視図である。
【図１Ｈ】図１Ａのアダプターをシェービングカートリッジに対して取り付ける他の方法を図示する、図１Ａのカミソリの斜視図である。
【図１Ｉ】図１Ａのアダプターをシェービングカートリッジに対して取り付ける他の方法を図示する、図１Ａのカミソリの斜視図である。
【図１Ｊ】図１Ａのアダプターをシェービングカートリッジに対して取り付ける他の方法を図示する、図１Ａのカミソリの斜視図である。
【図１Ｋ】シェービングカートリッジに対して図１Ａのアダプターを取り付ける他の方法に従って、アダプターがシェービングカートリッジに対して反転した状態の、図１Ａのカミソリの斜視図である。
【図２Ａ】ハンドル本体に接続されたシェービングカートリッジに接続された本願発明のアダプターの斜視図である。
【図２Ｂ】シェービングカートリッジに／から図２Ａのアダプターを取り付ける／分離する方法を図示する、図２Ａのカミソリの斜視図である。
【図２Ｃ】シェービングカートリッジに／から図２Ａのアダプターを取り付ける／分離する方法を図示する、図２Ａのカミソリの断面図である。
【図２Ｄ】シェービングカートリッジに／から図２Ａのアダプターを取り付ける／分離する方法を図示する、図２Ａのカミソリの斜視図である。
【図２Ｅ】シェービングカートリッジに／から図２Ａのアダプターを取り付ける／分離する方法を図示する、図２Ａのカミソリの断面図である。
【図２Ｆ】図２Ａに図示された取付に関して、アダプターがシェービングカートリッジに対して反転した状態の、図２Ａのカミソリの斜視図である。
【図３Ａ】ハンドル本体に接続されたシェービングカートリッジに接続された他の実施形態によるアダプターの斜視図である。
【図３Ｂ】シェービングカートリッジに／から図３Ａのアダプターを取り付ける／分離する方法を図示する、図３Ａのカミソリの斜視図である。
【図４Ａ】ハンドル本体に接続されたシェービングカートリッジに接続された他の実施形態によるアダプターの斜視図である。
【図４Ｂ】シェービングカートリッジに／から図４Ａのアダプターを取り付ける／分離する方法を図示する、図４Ａのカミソリの斜視図である。
【図４Ｃ】シェービングカートリッジに／から図４Ａのアダプターを取り付ける／分離する方法を図示する、図４Ａのカミソリの斜視図である。
【図４Ｄ】シェービングカートリッジに／から図４Ａのアダプターを取り付ける／分離する方法を図示する、図４Ａのカミソリの斜視図である。
【図４Ｅ】シェービングカートリッジに／から図４Ａのアダプターを取り付ける／分離する方法を図示する、図４Ａのカミソリの斜視図である。
【図４Ｆ】シェービングカートリッジに／から図４Ａのアダプターを取り付ける／分離する方法を図示する、図４Ａのカミソリの斜視図である。
【図４Ｇ】図４Ａに図示された取付に関して、アダプターがシェービングカートリッジに対して反転した状態の、図４Ａのカミソリの斜視図である。
【図４Ｈ】シェービングカートリッジの下側から見た図４Ｇのカミソリの斜視図である。
【図５Ａ】ハンドル本体に接続されたシェービングカートリッジに接続された他の実施形態によるアダプターの斜視図である。
【図５Ｂ】シェービングカートリッジがない状態で開いた状態の図５Ａのアダプターの斜視図である。
【図６】シェービングカートリッジの下側から見た、図１Ａ又は図２Ａのシェービングアセンブリの斜視図である。
【図７】シェービングカートリッジの下側から見た、図４Ａのシェービングアセンブリの斜視図である。
【図８】本願発明のアダプターの分解斜視図である。
【図９Ａ】シェービングカートリッジから、シェービング補助部を反転させる方法を図示する他の実施形態に従って、アダプターを有するシェービングアセンブリの平面図である。
【図９Ｂ】シェービングカートリッジから、シェービング補助部を反転させる方法を図示する他の実施形態に従って、アダプターを有するシェービングアセンブリの平面図である。
【図９Ｃ】シェービングカートリッジから、シェービング補助部を反転させる方法を図示する他の実施形態に従って、アダプターを有するシェービングアセンブリの平面図である。
【図１０】分離可能なシェービング補助部を有する、本願発明のアダプターの分解斜視図である。
【発明を実施するための形態】
【００２０】
異なる図面において、同じ参照符号は、同じ要素又は類似の要素を指定している。
【００２１】
図１Ａ、図２Ａ、図３Ａ、図４Ａ、図５Ａ及び図９Ａは、カミソリハンドル１２、シェービングカートリッジ１４、アダプター１６を備える、本願発明のウェット式カミソリ１０を図示しており、このアダプター１６は、シェービングアセンブリ１８を形成するために、そのような図面に図示されるようにシェービングカートリッジ１４に接続されることができる。
【００２２】
もっと正確に言えば、図１Ａ〜図１Ｋ及び図２Ａ〜図２Ｆは、一のシェービングカートリッジ１４に対するスナップフィットによって、シェービングカートリッジ１４に接続されたアダプターを図示し、図３Ａ〜図３Ｂ及び図４Ａ〜図４Ｈは、一のシェービングカートリッジ１４に対してスライド可能に装着されたアダプターを図示し、図５Ａ〜図５Ｂは、一のシェービングカートリッジ１４を包囲することによって装着されたアダプターを図示し、及び、図９Ａ〜図９Ｃは、フレームに対して反転可能に装着されたシェービング補助部を有するアダプターを図示する。
【００２３】
複数の図面に開示されたアダプターは、この後にさらに開示されるように、反転可能であるか又はそうではなくてもよい。
【００２４】
図面に記載されるように、シェービングカートリッジ１４は、１つ又は複数のシェービングブレード２０を有し、シェービングブレード２０のそれぞれには、刃先２２が設けられている。もっと正確に言えば、シェービングカートリッジ１４はハウジング２４を備え、当該ハウジング２４は、前方縁２４Ａ及び後方縁２４Ｂ、並びに上面２４Ｃ及び反対側の下面２４Ｄを有し、ハウジング２４の中に１つ以上のシェービングブレード２０が位置する（前方縁と後方縁との間に位置する）。シェービングブレード２０は、ハウジングに設けられた弾性フィンガに対して移動可能に装着されてもよく、又は固定されてもよい。シェービングブレード２０の数は、例えば１つと５つの間で備えてられてもよく、好ましくは３つ又は４つである。
【００２５】
ハウジング２４は、好ましくは細長く、長手方向軸Ｘ−Ｘに沿って延在している。ガードバー２６及びルブラ（lubra）２８はそれぞれ、ハウジング２４の上面２４ｃに設けられてもよく、それぞれシェービングブレード２０の前方及び後方に設けられてもよい。
【００２６】
各シェービングブレード２０の刃先２２は好ましくは、長手方向軸Ｘ−Ｘに沿って長手方向に延在する。
【００２７】
シェービングアセンブリには、シェービングアセンブリ１８をカミソリハンドル１２に接続するための接続手段が設けられている。もっと正確に言えば、シェービングカートリッジ１４又はアダプター１６のいずれかには、シェービングアセンブリ１８をカミソリハンドル１２に接続するための接続手段が設けられることができる。接続手段によれば、カミソリハンドル１２とシェービングアセンブリ１８との間の接続は固定されるか、又は回動可能である。
【００２８】
図面に記載された例において、接続手段３０（図４Ｈ、図６及び図７に最も良く示される）は、カミソリハンドル１２に関するシェービングアセンブリ１８の回動（細長い軸Ｘ−Ｘまわりでの回動）を可能にするが、本願発明は、回動可能なシェービングアセンブリに限定されない。図示されるように、接続手段３０は好ましくは、特にアダプター１６が以下に詳細に記載されるように反転可能である場合に、シェービングカートリッジ１４に（ハウジング２４の下面２４Ｄに）設けられる。
【００２９】
本願発明に開示された反転性は、２つの種類に関心がある。
−  長手方向軸Ｘ−Ｘまわりの反転性。
−  長手方向軸Ｘ−Ｘに対して感覚的に垂直である反転性。
【００３０】
接続手段３０は、特にシェービングアセンブリ１８がカミソリハンドル１２に関して回動可能である場合に、軸受胴（shell bearing）を備えることができるが、本願発明は、この種類の接続手段に限定されない。加えて、ハンドル１２は、シェービングカートリッジ１４から分離可能であってもよく、又は、カミソリに従って分離不可能であってもよい。もっと正確に言えば、ハンドル１２は、カミソリがシステムである場合に分離可能である（ブレードが鈍くなった場合にシェービングカートリッジ１４が新しいものに交換されるが、ハンドルはそのままであることを意味する）。それに対して、カミソリが使い捨てのものである場合に、ハンドルは分離不可能である（ブレードが鈍くなった場合に、シェービングカートリッジ１４及びハンドルの両方が新しいものに交換されることを意味する）。
【００３１】
本願発明のアダプター１６には、少なくとも１つのシェービング補助部が設けられており、好ましくは、２つのシェービング補助部又は４つのシェービング補助部（図示せず）が設けられている。図面に記載された例において、アダプター１６には、１つ又は２つのシェービング補助部３２が設けられている（アダプター１６がシェービングカートリッジ１４に装着された場合に、それらのシェービング補助部３２のうちの１つが最も前方のブレードの前方に位置しており、他の１つが最も後方のブレードの後方に位置する。）。シェービング補助部３２は、長手方向軸Ｘ−Ｘに沿って長手方向に延在する。加えて、少なくとも１つの又は２つの他のシェービング補助部は、刃先に関して斜めにアダプターにさらに設けられてもよく、もっと正確に言えばその側面に設けられてもよい（記載されていない）。
【００３２】
図１Ａ、図２Ａ、図３Ａ、図４Ａ及び５Ａに最も良く示されるように、アダプター１６は好ましくはフレーム３４を備え、当該フレーム３４は、第１の壁３６（上面）、第１の壁３６に対して反対側の第２の壁３８（下面）、第１の壁３６から第２の壁３８まで延在する側壁４０、第１の端４２、及び、第１の端４２に対して反対側の第２の端４４を有する。
【００３３】
第１の壁３６は、第１の開口部３６Ａを有し、フレームの第２の壁３８は、図１Ｃ、図２Ｃ、図３Ｂ、図４Ｂ〜図４Ｆ、図５Ｂ、図６及び図７に最も良く視認可能であるように第２の開口部３８Ａを有する。図１Ａ、図２Ａ、図３Ａ、図４Ａ及び図５Ａを参照すると、フレーム３４がシェービングカートリッジ１４に装着された場合に、シェービングブレード２０の刃先２２は、アダプターによって少なくとも部分的に覆われておらず、好ましくは全体的に覆われておらず（図２Ａ、図４Ａ及び図５Ａ）、シェービングを可能にするために、第１の開口部３６Ａを通じてアクセス可能である。それに対して、第２の開口部３８Ａは、接続手段３０がカミソリハンドルへアクセス可能であり、且つカミソリハンドルに接続されることを可能にする。
【００３４】
アダプターが軸Ｘ−Ｘまわりで反転可能である場合に、第２の開口部３８Ａはまた、後で詳細に記載されるように設計される。それ故に、１つ以上のシェービングブレードの刃先は、少なくとも部分的に覆われておらず、アダプターが（軸Ｘ−Ｘまわりの回転によって）シェービングカートリッジ１４に対して反転された場合に、第２の開口部３８Ａを通じてアクセス可能である。
【００３５】
図１Ａ〜図１Ｃ及び図１Ｈ〜図１Ｋ、図２Ａ〜図２Ｆ、図４Ａ〜図４Ｇ並びに図５Ａ〜図５Ｂを参照すると、アダプター１６がシェービングカートリッジ１４に対して反転可能に装着できる場合に、フレーム３４は、シェービングカートリッジ１４に対して反転可能に装着できてもよい。後者の場合において、シェービングブレード２０の刃先２２は、アダプター１６によって少なくとも部分的に覆われておらず、好ましくは全体的に覆われておらず、且つ、シェービングを可能にするために、第２の開口部３８Ａを通じてアクセス可能である。それに対して、第１の開口部３６Ａは、接続手段３０がアクセス可能であり、且つカミソリハンドルに接続されることを可能にする。それ故に、この場合において、アダプター１６のフレーム３４は、刃先２２が第１の開口部３６Ａ又は第２の開口部３８Ａのいずれかを通じてアクセス可能であるように、シェービングカートリッジ１４に対して装着されることができる。図１Ａ〜図１Ｃ及び図１Ｈ〜図１Ｋ及び図２Ａ〜図２Ｆ（スナップフィット）に記載された実施形態にとって、第１の開口部３６Ａ及び第２の開口部３８Ａの形状及び寸法に従って、シェービングカートリッジ１４への接続は、第１の開口部３６Ａから得られてもよく、且つ／又は、第２の開口部３８Ａから得られてもよい（図１Ｈ及び図２Ｅ）。
【００３６】
アダプター１６は、少なくとも１つのシェービング補助部を保持するように構成された少なくとも１つのシェービング補助部ホルダーをさらに備えることができる。もっと正確に言えば、（シェービングカートリッジ及びハンドルを有していない）アダプターのみを図示している図８に最も良く示されるように、アダプター１６は、２つのシェービング補助部ホルダー４６を備え、各シェービング補助部ホルダー４６には、一のシェービング補助部３２が設けられている。
【００３７】
アダプターが一のシェービング補助部３２のみを有し、アダプターがシェービングカートリッジに取り付けられる（図１Ａに示される）場合に、一のシェービング補助部ホルダー４６のみが設けられており、アダプター１６がシェービングカートリッジ１４に対して装着される場合に、アダプター１６がシェービングカートリッジ１４に関して外側に延在している。シェービング補助部ホルダー４６は、最も前方のブレードの前方部に（ガードバー２６が存在する場合にガードバー２６の前方に）位置することができ、又は、図１Ａに記載されるように、最も後方のブレードの後方部に（ルブラ２８が存在する場合にルブラ２８の後方に）位置することができる。
【００３８】
一のシェービングカートリッジに取り付けられる（図２Ａ、図３Ａ、図４Ａ及び図５Ａに示される）場合に、シェービング補助部ホルダー４６の一方は、アダプター１６がシェービングカートリッジ１４に対して装着された場合に、シェービングカートリッジ１４に関して外側に延在しており、最も前方のブレードの前方部に（ガードバー２６が存在する場合にガードバー２６の前方に）位置することができる。シェービング補助部ホルダー４６の他方は最も後方のブレードの後方部に（ルブラ２８が存在する場合にルブラ２８の後方に）位置することができる。
【００３９】
シェービング補助部３２のそれぞれは、シェービング補助部本体３２を有し、当該シェービング補助部本体３２は好ましくは中実であり、潤滑剤、保湿剤、調整剤、及び／又は剥離剤（exfoliant）を備えることができる。
【００４０】
シェービング補助部３２は、シェービング補助部３２には２つの対向面が設けられるように設計されることができる。もっと正確に言えば、各シェービング補助部３２は、第１面３２Ａと、反対側の第２面３２Ｂとを有する。シェービング補助部の形状は、それらがシェービング中に肌と接触状態になる一の面３２Ａ又は３２Ｂを提供する限り、様々な種類であってもよく、例えば、第１面３２Ａ及び第２面３２Ｂの形状は正方形状の表面、矩形状の表面、又は卵形状の表面等であってもよい。各シェービング補助部３２の厚さＴ３２は、アダプターの高さ及びシェービングカートリッジ１４の高さに適合されており、それによって、アダプターがシェービングカートリッジ１４に装着された場合に、対応する面３２Ａ（又は３２Ｂ）は、シェービング中に使用者の肌と接触状態になる（及び、刃先の少なくとも１つも、シェービング中に使用者の肌と接触状態になる）。
【００４１】
シェービング補助部ホルダーは、シェービング中に、第１面３２Ａ及び第２面３２Ｂの１つのみが各シェービング補助部３２のために使用されるように、シェービング補助部３２を保持するように構成される。このことは、図１Ａに記載されるように、シェービング補助部３２の第１面３２Ａがシェービング中に使用されることができる場合に、反対側の面３２Ｂがシェービンングのために使用されるようにアクセス不可能であることを意味する。このことは、図２Ａ、図３Ａ、図４Ａ及び図５Ａに記載されるように、アダプターには２つのシェービング補助部が設けられる場合に、シェービング補助部３２の２つの第１面３２Ａがシェービング中に使用されることができるのに対して、２つの反対側の面３２Ｂは、シェービングのために使用されるようにアクセス不可能であることを意味する。
【００４２】
アダプター１６が軸Ｘ−Ｘまわりに反転可能である場合に、各シェービング補助部３２の両面は、連続して使用されることができる。実際には、各シェービング補助部３２の第１面３２Ａは、刃先２２が第１の開口部３６Ａを通じてアクセス可能である場合に有益であるのに対して、各シェービング補助部３２の第２面３２Ｂは、（アダプターをシェービングカートリッジに対して反転させた後で）刃先２２が第２の開口部３８Ａを通じてアクセス可能である場合に有益である。それ故に、シェービング補助部３２の第１面３２Ａが使い古された場合に、アダプター１６は（図１Ｇ、図２Ｆ及び図４Ｇに記載されるように）、各シェービング補助部３２の第２面３２Ｂがさらなるシェービング中に使用されることができるように使用者によって反転されることができる。
【００４３】
既に述べたように、本願発明のアダプターは、スナップフィットによって及び／又は包囲することによって、シェービングカートリッジに対してスライド可能に装着されることができる。加えて、本願発明のアダプターは、反転可能であってもよく、又は反転不可能であってもよい。（反転又は新しいアダプターのいずれかによって）交換させるために、アダプターは好ましくは、シェービングカートリッジから分離可能である。加えて、本願発明のアダプターは、長手方向軸Ｘ−Ｘまわりで反転可能であってもよく、且つ／又は長手方向軸Ｘ−Ｘに対して横断方向で反転可能でもよい。
【００４４】
アダプター１６は好ましくは、シェービングカートリッジ１４に装着されることができ、且つシェービングカートリッジ１４に自然に維持されることができるようにシェービングカートリッジ１４を摩擦で受容する。このことは、アダプター１６のフレーム３４がシェービングカートリッジ１４のハウジング２４と摩擦によって協働するように設計されることを意味する。
【００４５】
アダプターはまた、シェービングカートリッジに弾性的に装着可能であってもよい。もっと正確に言えば、アダプターのフレーム３４は、シェービングカートリッジ１４に対するその接続中に弾性的に変形してもよい。このことは、フレーム３４の弾性がシェービングハウジング２４の弾性よりも高くなることを意味する。
【００４６】
摩擦力及びアダプターの弾性によれば、装着後に、アダプター１６は、シェービングカートリッジ１４に最終的に接続されることができ、又は、好ましくはシェービングカートリッジ１４に解放可能に（つまり、分離可能に）接続されることができる。アダプター１６がシェービングカートリッジ１４に解放可能に接続された場合に、アダプター１６とシェービングカートリッジ１４との間の摩擦により、アダプター１６がシェービングカートリッジ１４に対して維持されるようになり、それによって、分離のリスクなしにシェービングを可能にする。加えて、シェービングカートリッジ１４からのアダプター１６の自発的な解放／分離は、（子供がシェービングカートリッジからのアダプターの分離を得る）かなりの力の使用なしに、及び任意の道具の手助けなしに実現されることができる。
【００４７】
アダプター１６がシェービングカートリッジ１４に解放可能に（分離可能に）接続された場合に、使用者は、アダプターによってシェービングすることができ、又はアダプターなしでシェービングすることができる。加えて、シェービング補助部３２が使い古された場合に、使用者は新しいアダプターとアダプターを交換することができるとともに、同じシェービングカートリッジ１４及び同じカミソリハンドル１２を維持する。
【００４８】
要約すると、上述したように、アダプターとカートリッジとの間の様々な種類の接続（スナップフィット、スライド、包囲）に関連して、本願発明のアダプター１６は、シェービングカートリッジ１４に反転可能に装着されることができる。
【００４９】
アダプター１６の反転性は、（図１Ａ−１１Ｃ及び図１Ｆ〜図１Ｋ、図２Ａ〜図２Ｆ及び図４Ａ〜図４Ｈ、並びに図５Ａ〜図５Ｂを参照すると）上記のような反転可能なフレーム３４によって、及び／又は、この後に図９Ａ−９Ｃ及び１０を参照して記載されるような反転可能なシェービング補助部３２によって、得られることができる。シェービング補助部３２が使い古された場合に、使用者はそれ故に、シェービングカートリッジ１４に対してアダプター１６のフレーム３４を反転させることができ、又は、シェービングカートリッジに対してシェービング補助部を反転させることができ、もっと正確に言えば、それらが反転可能に取り付けられるフレームに対してシェービング補助部を反転させることができる。加えて、シェービング補助部は、使い古された場合に他のものと交換できるように、又は、その第２面が使用されることを可能にするために、フレームに対して反転された状態を維持されることができるようにフレームに関して解放可能とされることができる。
【００５０】
シェービング補助部３２がシェービング補助部ホルダー４６に対して解放不可能に（分離不可能に又は分離不能に）維持された場合に、それらのシェービング補助部３２は好ましくは、シェービング補助部ホルダー４６に成形される。図８に最も良く示されるように、この場合には、シェービング補助部ホルダー４６には好ましくは、製造中にシェービング補助部３２が広がることができる孔４８が設けられてもよい。製造後に、シェービング補助部３２は、シェービング補助部ホルダー４６に固定されるように、シェービング補助部ホルダー４６から分離不可能である。
【００５１】
シェービング補助部ホルダー４６は、アダプター１６のフレーム３４と一体とされることができ、図６に記載されるように、シェービング補助部ホルダー４６がフレーム３４に解放不可能に（分離不可能に）接続されるように、側壁４０から延在することができる。
【００５２】
シェービング補助部３２が使い古された場合に、使用者は、それが反転可能でない限り、アダプター１６全体を新しいものと交換する必要がある。
【００５３】
図９Ａ〜図９Ｃを参照すると、シェービング補助部３２は、シェービング補助部ホルダー４６に取り付けられ、好ましくは解放不可能に取り付けられるのに対して、シェービング補助部ホルダー４６のそれぞれは、フレーム３４に反転可能に装着され、例えば、フレーム３４に回転可能に装着される。図９Ａ〜図９Ｃに記載されるように、シェービング補助部ホルダー４６は、フレーム３４に対して回転させることができ、それによって、使い古された場合に、第１面３２Ａは、シェービングカートリッジ１４からアダプター１６を分離することなく、さらなるシェービングのための反対側の第２面３２Ｂと置換されることができる。もっと正確に言えば、図９Ａは、シェービング中に使用されるべき両方の第１面３２Ａを有するアダプターを図示しており、図９Ｂは、例えばシェービング補助部を回転させることによって面（第１面から第２面へ）を反転させる方法を図示しており、図９Ｃは、シェービング中に使用されるべき一の第２面３２Ｂを有するアダプター（他のシェービング補助部３２は、その第１面３２Ａと共に既に使用される）を図示する。アダプター１６はそれ故に、シェービング中に両方の第１面３２Ａ、両方の第２面３２Ｂ、又は、第１面３２Ａ及び第２面３２Ｂの混合のいずれかで使用されることができる。シェービング補助部ホルダー４６は、フレーム３４に対して反転させた場合に、シェービング補助部３２の機能を避けるために、フレーム３４に対してわずかにスライド可能に装着されてもよい。
【００５４】
図１０を参照すると、シェービング補助部３２は、シェービング補助部ホルダー４６に取り付けられるのに対して、シェービング補助部ホルダー４６のそれぞれがフレーム３４に対して解放可能に装着される。シェービング補助部ホルダー４６は、フレーム３４に対して取り付けられることができ、且つフレーム３２から分離されることができる。それによって、使い古された場合に、アダプター１６をシェービングカートリッジ１４から分離することなくさらなるシェービングのために、第１面３２Ａは、反対側の第２面３２Ｂと置換されることができる。フレーム３４は、スライドすることによって、（図１０に図示されるような）スナップフィットによって、又は包囲することによって、シェービングカートリッジに対する取付を可能にしてもよい。
【００５５】
我々は、（図１Ａ〜図１Ｋに示されるように）スナップフィットによってシェービングカートリッジに取り付けられたアダプターを使用する方法を記載する。図１Ａ〜図１Ｃは、反転可能であるアダプター及び反転可能ではないアダプターを示す。図１Ｄ及び図１Ｅは、新しいものとのアダプターの交換を示す。図１Ｆ及び図１Ｇは、軸Ｘ−Ｘに対して少なくとも垂直に反転したアダプターを示しており、図１Ｈ及び図１Ｊは、軸Ｘ−Ｘまわりで少なくとも反転したアダプターを示しており、図１Ｋは軸Ｘ−Ｘに対して垂直に反転し、且つ軸Ｘ−Ｘまわりで反転したアダプターを示す。
【００５６】
図１Ｂ〜図１Ｄ、図１Ｆ、及び図１Ｈに最も良く示されるように、１つ以上の突起５０は、取付を可能にするために、フレーム３４に設けられることができ、スナップフィットが起こった後でシェービングカートリッジ１４に対してアダプター１６をしっかりと維持することができる。実際に、アダプターは、例えばその幾何学形状（第１の開口部３６Ａ、第２の開口部３６Ｂ、突起５０等）及びシェービングカートリッジ１４の幾何学形状に従って、反転可能であってもよい。
【００５７】
図１Ａ〜図１Ｅを参照すると、アダプター１６が反転可能ではない場合に、シェービング補助部の第１面３２Ａのみがシェービング中に使用される。それ故に、シェービング補助部３２の第１面３２Ａが使い古された場合に、使用者は、アダプター１６を新しいものと交換する。図１Ｂに最も良く記載されるように、使用者は、シェービングカートリッジ１４からアダプター１６を分離しており、もっと正確に言えば例えば方向Ｄ１において、シェービングカートリッジ１４からアダプター１６を外すことによって、フレーム３４を分離する。アダプターが図１Ｃに示されるようにシェービングカートリッジ１４から完全に分離した場合に、使用者は、例えば（方向Ｄ１に対して反対である）方向Ｄ２において、図１Ｄに示されるようなスナップフィットによって新しいアダプター１６を取り付けることができ、（新しいアダプターが設けられた）図１Ｅに記載されるようなカミソリによってシェービングすることができる。シェービング補助部３２は図１Ａに記載されるように、例えば刃先の前方へ位置することができ、アダプターの交換後には、シェービング補助部３２は再び、図１Ｅに記載されるように刃先の前方に位置することができる。
【００５８】
図１Ａ〜図１Ｃを参照すると、且つ図１Ｆ〜図１Ｇ又は図１Ｋにさらに参照すると、アダプター１６が軸Ｘ−Ｘに対して垂直に反転可能である場合に、使用者は、使用者が刃先２２に関してシェービング補助部３２の位置を変更するように、フレーム３４を反転させることができる。実際に、使用者は、例えば方向Ｄ１において、（図１Ｂに示されるように）シェービングカートリッジ１４からフレーム３４を外すことによって、フレーム３４をシェービングカートリッジ１４から分離する。アダプター１６が（図１Ｃに示されるように）シェービングカートリッジ１４から完全に分離した場合に、使用者は、（図１Ｆに示されるように）シェービングカートリッジ１４に対するその位置を変更するために、アダプター１６を回転させることができ、（図１Ｇに示されるように）アダプター１６をシェービングカートリッジ１４に接続するためにアダプター１６をスナップフィットすることができる。図１Ａに記載されるように、分離前に、アダプター１６は、上から見た場合に（又は図１Ａのような上面斜視図から見た場合に）、シェービングカートリッジ１４の左側に設けられたその第１の端４２を有し、その第２の端４４が右側に位置する。それに対して、アダプター１６が軸Ｘ−Ｘに対して垂直に反転した後では、その第１の端４２は、上から見た場合に（又は図１Ｇのような上面斜視図から見た場合に）、シェービングカートリッジ１４の右側に設けられ、その第２の端４４は、左側に位置する。加えて、本願に開示された反転性が軸Ｘ−Ｘに対して垂直に起こるものに関わるので、分離前に、（図１Ａに示されるように）第１の壁３６（アダプター１６の上面）がシェービングカートリッジ１４の上面２４Ｃに位置しており、第２の壁３８（アダプター１６の下面）がシェービングカートリッジ１４の下面２４Ｄに位置している。アダプター１６が軸Ｘ−Ｘに対して垂直に反転した後では、（図１Ｇに示されるように）第１の壁３６（アダプター１６の上面）は依然としてシェービングカートリッジ１４の上面２４Ｃに位置しており、第２の壁３８（アダプター１６の下面）は依然としてシェービングカートリッジ１４の下面２４Ｄに位置する。カミソリは再び、シェービングするための準備ができている。
【００５９】
図１Ａ〜図１Ｃを参照すると、及び図１Ｈ〜図１Ｊ又は図１Ｋにさらに参照すると、アダプター１６が軸Ｘ−Ｘに関して反転可能である場合に、使用者は、例えばシェービング補助部３２の第１面３２Ａが使い古された場合に、シェービング補助部３２の第２面３２Ｂがシェービング中に使用されることができるように、フレーム３４を反転させることができる。実際には、使用者は、例えば方向Ｄ１において、（図１Ｂに示されるように）シェービングカートリッジ１４からフレーム３４を外すことによって、フレーム３４をシェービングカートリッジ１４から分離する。アダプター１６が（図１Ｃに示されるように）シェービングカートリッジ１４から完全に分離した場合に、使用者は、（上記に開示されるように、且つ図１Ｄを参照すると）アダプターを新しいアダプターと交換することができるか、又は、例えば以下に記載されるように、使用者は、アダプターを反転させてシェービングカートリッジ１４にアダプターを取り付けることができる。
【００６０】
図１Ａに記載されるように、刃先２２を覆っていたフレームの第１の開口部３６Ａは、シェービングカートリッジ１４に対してフレーム３４を反転させた後で、ハウジング２４の下面２４Ｄ（図示せず）を覆っている。それに対して、（図６に示されるように）ハウジング２４の下面２４Ｄを覆っていた第２の開口部３８Ａは次いで、シェービングカートリッジ１４に対してフレーム３４を反転させた後で、（図１Ｊ及び図１Ｋに示されるように）シェービングブレード２０を覆っている。上面２４Ｃでシェービングカートリッジ１４に接続されたアダプター１６の第１の開口部３６Ａは、反転後に、ハウジングの下面２４Ｄに接続される。それに対して、下面２４Ｄでシェービングカートリッジ１４に接続されたアダプター１６の第２の開口部３６Ｂは、軸Ｘ−Ｘまわりの反転後に、ハウジングの上面２４Ｃに接続される。次いで、使用者は、例えばハウジング２４Ｄの下側から、アダプター１６をシェービングカートリッジ１４に近づけることができる（図１Ｈに示される）。使用者は次いで、（図１Ｊに示される）完全な取付まで、シェービングカートリッジ１４に対してアダプター１６をスナップフィットすることができる（図１Ｉに示される）。その後、カミソリは、さらなるシェービングのためにシェービング補助部３２とともに再び使用される準備ができている。もっと正確に言えば、カミソリのシェービング補助部３２は、その第２面３２Ｂでシェービングするために使用される。刃先２２に関するシェービング補助部３２の位置も変更される。例えば（図１Ａに示される）刃先２２の後方に位置したシェービング補助部３２は現在、刃先２２の前に位置している（図１Ｊに示される）。言い換えると、分離前に、アダプター１６は、上から見た場合（又は図１Ａのような上面斜視図から見た場合）にシェービングカートリッジ１４の左側に設けられたその第１の端４２を有し、その第２の端４４が右側に位置する。アダプターが軸Ｘ−Ｘまわりで反転した後で、上から見た場合に（又は図１Ｊのような上面斜視図から見た場合に）、その第１の端４２は、シェービングカートリッジ１４の左側に依然として設けられており、その第２の端４４は依然として右側に位置する。加えて、本願に開示された反転性が軸Ｘ−Ｘまわりで起こることに関心があるので、分離前に、第１の壁３６（アダプター１６の上面）がシェービングカートリッジ１４の上面２４Ｃに位置し、第２の壁３８（アダプター１６の下面）がシェービングカートリッジ１４の下面２４Ｄに位置する（図１Ａに示す）。アダプター１６が軸Ｘ−Ｘに対して垂直に反転した後で、第１の壁３６（アダプター１６の上面）は現在、シェービングカートリッジ１４の下面２４Ｄに位置しており、第２の壁３８（アダプター１６の下面）は現在、シェービングカートリッジ１４の上面２４Ｃに位置する（図１Ｊ又は図１Ｋに示す）。カミソリは、再びシェービングするための準備ができている。
【００６１】
使用者が（刃先２２に関して）シェービング補助部の位置も変更したい場合に、使用者は、アダプターを軸Ｘ−Ｘに対して垂直にさらに反転させなければならない。この場合において、アダプターは、上から見た場合に（又は図１Ａのような上面斜視図から見た場合に）、シェービングカートリッジ１４の左側に設けられたその第１の端４２を有し、その第２の端４４は、右側に位置する。それに対して、アダプター１４が軸Ｘ−Ｘに対して垂直に反転し且つ軸Ｘ−Ｘまわりで反転した後で、その第１の端４２は、上から見た場合に（又は、図１Ｋのような上面斜視図から見た場合に）シェービングカートリッジ１４の右側に設けられており、その第２の端４４は、左側に位置する。カミソリは、再びシェービングするための準備ができている。
【００６２】
図１Ａ〜図１Ｋに記載されたこの実施形態から離れて、他の図面に記載された実施形態には、２つのシェービング補助部３２が設けられているが、それらには、上記に開示したように１つのシェービング補助部３２が設けられてもよい。加えて、この後に開示された反転性は、軸Ｘ−Ｘまわりで行われたものである。この反転性は、上記に開示されたように、軸Ｘ−Ｘに対して垂直に起こる反転性と置き換わることができ、且つ／又は組み合わされて起こることができる。
【００６３】
我々は次いで、図２Ａ〜図２Ｆに記載された実施形態のアダプターを使用する方法を記載しており、この方法において、アダプターは、スナップフィットによってシェービングカートリッジに対して取り付けられる。
【００６４】
図１Ａ〜図１Ｋに開示されたアダプターのように、図２Ａ〜図２Ｄに開示されたアダプターは、反転可能であってもよく、又は反転可能ではなくてもよい。それに対して、図２Ｅ〜図２Ｆは、反転可能なアダプターのみを示す。図２Ｂ〜図２Ｅに最も良く示されるように、１つ以上の突起５０は、その取付を可能にするためにフレーム３４に設けられており、スナップフィットが起こった後で、シェービングカートリッジ１４に対してアダプター１６をしっかりと維持することができる。実際に、アダプターは、例えばその幾何学形状（第１の開口部３６Ａ、第２の開口部３６Ｂ、突起５０等）及びシェービングカートリッジ１４の幾何学形状に従って、反転可能であってもよい。
【００６５】
図２Ａ〜図２Ｄを参照すると、アダプター１６が反転可能ではない場合に、シェービング補助部の第１面３２Ａのみがシェービング中に使用される。それ故に、シェービング補助部３２の第１面３２Ａが使い古された場合に、使用者は、アダプター１６を新しいアダプターと交換する。図２Ｂに最も良く記載されるように、使用者は、シェービングカートリッジ１４からアダプター１６を分離し、もっと正確に言えば、例えば方向Ｄ１においてアダプターをシェービングカートリッジから外すことによって、フレーム３４を分離する。図２Ｃに示されるように、アダプターがシェービングカートリッジ１４から完全に分離した場合に、使用者は、例えば（方向Ｄ１と反対方向である）方向Ｄ２において、図２Ｄに示されるようなスナップフィットによって新しいアダプター１６を取り付けることができ、図２Ａに示されるように、（新しいアダプターが設けられた）カミソリによってシェービングすることができる。
【００６６】
図１Ａ〜図１Ｄを参照すると、且つ図１Ｅ〜図１Ｆをさらに参照すると、アダプター１６が反転可能である場合に、使用者は、シェービング補助部３２の第１面３２Ａが使い古された場合にフレーム３４を反転させることができる。それによって、シェービング補助部３２の第２面３２Ｂはシェービング中に使用されることができる。実際に、使用者は、例えば方向Ｄ１において、アダプターをシェービングカートリッジから外すことによって、フレーム３４をシェービングカートリッジ１４から分離する（図２Ｂに示される）。（図２Ｃに示されるように）前記アダプター１６がシェービングカートリッジ１４から完全に分離した場合に、使用者は、（上記に開示されるように、且つ図２Ｄを参照して）そのアダプターを新しいアダプターと交換することができるか、又は、使用者は例えば以下に開示されるように、アダプターを反転させて、シェービングカートリッジ１４に対してアダプターを取り付けることができる。
【００６７】
図２Ａに記載されるように刃先２２を覆っていたフレームの第１の開口部３６Ａは、フレーム３４をシェービングカートリッジ１４に対して反転させた後で、ハウジング２４の下面２４Ｄを覆っている（図示せず）。それに対して、（図６に示されるように）ハウジング２４の下面２４Ｄを覆っていた第２の開口部３８Ａは、（図２Ｆに示されるように）フレーム３４をシェービングカートリッジ１４に対して反転させた後で、シェービングブレード２０を覆っている。上面２４Ｃ上でシェービングカートリッジ１４に接続されるアダプター１６の第１の開口部３６Ａは、反転後に、ハウジングの下面２４Ｄに接続される。それに対して、下面２４Ｄ上でシェービングカートリッジ１４に接続されるアダプター１６の第２の開口部３６Ｂは、反転後に、ハウジングの上面２４Ｃに接続される。次いで、使用者は、例えば（図２Ｅに示されるように）ハウジング２４Ｄの上側から、アダプター１６をシェービングカートリッジ１４に近づけることができる。使用者は次いで、（図２Ｆに示されるような）完全な取付まで、アダプター１６をシェービングカートリッジ１４に対してスナップフィットさせることができる。その後、カミソリは、さらなるシェービングのために、シェービング補助部３２とともに再び使用される準備ができている。もっと正確に言えば、現在シェービングのために使用されるカミソリのシェービング補助部３２はそれらの第２面３２Ｂである。
【００６８】
我々は、図３Ａ及び図３Ｂを参照してスライドによってシェービングカートリッジに対して取り付けられたアダプターの使用方法を記載する。この実施形態のアダプターは反転可能ではない。
【００６９】
アダプター１６が反転可能ではない場合に、シェービング補助部の第１面３２Ａのみがシェービング中に使用される。それ故に、シェービング補助部３２の第１の面３２Ａが使い古された場合に、使用者は、アダプター１６を新しいアダプターと交換する。図３Ｂに最も良く示されるように、使用者は、特に矢印Ｆ１に沿ってアダプターをシェービングカートリッジからスライドさせ、シェービングカートリッジ１４をフレーム３４の第１の端４２に設けられた第１の端開口部４２Ａ内に通過させることによって、もっと正確に言えば軸Ｘ−Ｘに沿ってアダプターをスライドさせることによって、シェービングカートリッジ１４からアダプター１６を分離し、もっと正確に言えばフレーム３４を分離する。当然ながら、使用者は、（矢印Ｆ１と反対向きである）矢印Ｆ２に沿ってアダプター１６に関してシェービングカートリッジ１４をスライドさせることによって、シェービングカートリッジ１４からアダプター１６を分離することもできる。つまり、使用者は、両方の動き（矢印Ｆ１に沿ってアダプターをスライドさせ、且つ矢印Ｆ２に沿ってシェービングカートリッジをスライドさせる）を組み合わせることもできる。第１の端開口部４２Ａは、シェービングカートリッジ１４がハンドル本体１２に接続された場合でさえ、シェービングカートリッジ１４に関してアダプター１６のスライドを可能にするために図面に示されるように設計されてもよい。このことは、シェービングカートリッジ１４からアダプター１６をスライドさせる場合に、シェービングカートリッジ１４をハンドル本体１２から分離する必要性が存在しないこと意味する。アダプター１６には好ましくは、その第２の端４４に第２の端開口部４４Ａが設けられてもよく、それによって、シェービングカートリッジ１４に対するアダプターのスライドは真空効果を生み出すことなく容易に行うことができる。
【００７０】
図３Ｂに記載されるように、アダプターがシェービングカートリッジ１４から完全に分離した場合に、使用者は、シェービングカートリッジ１４をフレーム３４の第１の端開口部４２Ａ内に通過させることによって、例えばアダプター１６を（矢印Ｆ１と反対向きである）矢印Ｆ２に沿ってスライドさせることによって、新しいアダプター１６を取り付けることができる。その後、使用者は、図３Ａに図示されるようにカミソリによってシェービングすることができる。当然ながら、シェービングカートリッジからのアダプターの分離に関して繰り返し言うが、使用者はまた、矢印Ｆ１に沿ってアダプター１６に関してシェービングカートリッジ１４をスライドさせ、シェービングカートリッジ１４をフレーム３４の第１の端開口部４２Ａ内に通過させることによって、アダプター１６をシェービングカートリッジ１４に対して取り付けることもできる。使用者はまた、両方の動き（矢印Ｆ２に沿ってアダプターをスライドさせ、矢印Ｆ１に沿ってシェービングカートリッジをスライドさせる）を組み合わせることができる。図３Ｂに最も良く示されるように、１つ以上の突起５０は、その取付を可能にするためにフレーム３４に設けられており、安全なシェービングの準備ができているために、スライドが起こった後で、シェービングカートリッジ１４に対してアダプター１６をしっかりと維持することができる。
【００７１】
私たちは、図４Ａ〜図４Ｈを参照して、スライドによってシェービングカートリッジに取り付けられたアダプターの他の実施形態の使用方法を記載する。
【００７２】
スライドするアダプターのこの実施形態において、アダプター１４には、第１の端４２及び第１の端４２と反対側である第２の端４４が設けられることができ、第１の端４２及び第２の端４４は図４Ａ〜図４Ｈに記載されるように、Ｕ字形状を有する。この場合において、Ｕ字形状に起因して第１の端４２及び第２の端４４には、（スライドによる）シェービングカートリッジの通過を可能にする開口部４２Ａ及び４４Ａが設けられているので、真空効果を避けるために以前に記載されたような第２の端孔の必要性が存在しない。アダプター１６をシェービングカートリッジ１４に対して取り付けるために、アダプター１６は、シェービング補助部３２の第１面３２Ａ（図４Ａ）を使用する場合にその第２の端４４（図示せず）によって、又は、例えば、シェービング補助部３２の第２面３２Ｂを使用する場合に図４Ｆに図示されるようなその第１の端４２によって、シェービングカートリッジ１４に対してスライドする。
【００７３】
アダプター１６が反転可能ではない場合に、シェービング補助部の第１面３２Ａのみがシェービングのために使用される。それ故に、シェービング補助部３２の第１面３２Ａが使い古された場合に、使用者は、アダプター１６を新しいアダプターと交換する。図４Ｂに最も良く記載されるように、使用者は、特に矢印Ｆ１に沿ってアダプター１６をシェービングカートリッジ１４からスライドさせ、且つシェービングカートリッジ１４をフレーム３４の第１の端４２に設けられた第１の端開口部４２Ａ内に通過させることによって、もっと正確に言えば軸Ｘ−Ｘに沿ってアダプター１６をスライドさせることによって、シェービングカートリッジ１４からアダプター１６を分離し、もっと正確に言えばフレーム３４を分離する。当然ながら、使用者は、（矢印Ｆ１と反対側である）矢印Ｆ２に沿ってアダプター１６に関してシェービングカートリッジ１４をスライドすることによって、アダプター１６をシェービングカートリッジ１４から分離することができる。また、使用者はまた、両方の動き（矢印Ｆ１に沿ってアダプターをスライドさせ、矢印Ｆ２に沿ってシェービングカートリッジをスライドさせる）を組み合わせることができる。第１の端開口部４２Ａは、シェービングカートリッジ１４がハンドル本体１２に接続された場合でさえ、シェービングカートリッジ１４に関するアダプター１６のスライドを可能にするために図面に図示されるように設計されてもよい。このことは、アダプター１６をシェービングカートリッジ１４からスライドさせる場合に、ハンドル本体１２からシェービングカートリッジ１４を分離する必要がないことを意味する。図４Ｂに記載されるように、アダプターがシェービングカートリッジ１４から完全に分離した場合に、使用者は、シェービングカートリッジ１４をフレーム３４の第１の端開口部４２Ａ内に通過させることによって、例えば（矢印Ｆ１と反対向きである）矢印Ｆ２に沿ってスライドすることによって、新しいアダプター１６を取り付けることができる。その後、使用者は、図４Ａに記載されるようなカミソリによってシェービングすることができる。当然ながら、シェービングカートリッジからのアダプターの分離に関して繰り返して言うが、使用者はまた、矢印Ｆ１に沿ってアダプター１６に関してシェービングカートリッジ１４をスライドさせ、シェービングカートリッジ１４をフレーム３４の第１の端開口部４２Ａ内に通過させることによって、アダプター１６をシェービングカートリッジ１４に取り付けることができる。使用者は、両方の動き（矢印Ｆ２に沿ってアダプターをスライドさせ、矢印Ｆ１に沿ってシェービングカートリッジをスライドさせる）を組み合わせることもできる。
【００７４】
図４Ｂ及び図４Ｆに最も良く示されるように、１つ以上の突起５０は、取付を可能にするために、フレーム３４に設けられることができ、シェービングのためにスライドが起こった後で、シェービングカートリッジ１４に対してアダプター１６をしっかり維持することができる。
【００７５】
そのようなアダプターが反転可能である場合に、使用者は、シェービング補助部３２の第１面３２Ａが使い古された場合にフレーム３４を反転させることができる。それによって、シェービング補助部３２の第２面３２Ｂがシェービング中に使用されることができる。実際に、使用者は、（図４Ｂに示されるように）矢印Ｆ１に沿ってフレーム３４をシェービングカートリッジ１４からスライドさせ、シェービングカートリッジ１４をフレーム３４の第１の端開口部４２Ａ内に通過させることによって、もっと正確に言えば軸Ｘ−Ｘに沿ってフレーム３４をスライドさせることによって、フレーム３４をシェービングカートリッジ１４から分離する。（図４Ｂに示されるように）アダプターがシェービングカートリッジ１４から完全に分離した場合に、使用者は、（図４Ｃ〜図４Ｅに示されるように）例えば軸Ｘ−Ｘまわりで回転する／回すことによってアダプターを反転させることができる。図４Ａに示されるように、刃先２２を覆っていたフレームの第１の開口部３６Ａは、シェービングカートリッジ１４に対してフレーム３４を反転させた後で、（図４Ｈに示されるように）ハウジング２４Ｄの下部分を覆っている。それに対して、（図７に図示されるように）ハウジング２４Ｃの上面を覆っていた第２の開口部３８Ａは、（図４Ｇに示されるように）シェービングカートリッジ１４に対してフレーム３４を反転させた後で、シェービングブレード２０を覆っている。上面２４Ｃでシェービングカートリッジ１４に接続されていたアダプター１６の第１の開口部３６Ａは、反転後に、ハウジングの下面２４Ｄに接続される。それに対して、下面２４Ｄでシェービングカートリッジ１４に接続されていたアダプター１６の第２の開口部３６Ｂは、反転後に、ハウジングの上面２４Ｃに接続される。使用者は次いで、（図４Ｇに図示されるような）完全な取付まで、（図４Ｆに図示されるように）シェービングカートリッジ１４に対してアダプター１６をスライドさせることができる。その後、カミソリは、さらなるシェービングのために、シェービング補助部３２とともに再び使用される準備ができている。
【００７６】
我々は、（図５Ａ及び図５Ｂに示されるように）包囲することによってシェービングカートリッジに取り付けられたアダプターを使用する方法を記載する。
【００７７】
アダプター１６が反転可能ではない場合に、このことは、シェービング補助部の第１面３２Ａのみがシェービング中に使用されることができることを意味する。それ故に、シェービング補助部３２の第１面３２Ａが使い古された場合に、使用者は、アダプター１６を新しいものと交換する。シェービング補助部３２のそれぞれには第１面３２Ａ及び第２面３２Ｂが設けられており、且つそれらの面のそれぞれがシェービング中に肌と接触することができる場合には、図５Ａ及び図５Ｂに記載されるように、アダプターは反転可能である。アダプター１４のフレーム３４は、例えばヒンジ３５によって互いに回動可能に接続された２つの部品３４Ａ及び３５Ｂを備える。このヒンジ３５の反対側には、いくつかのタブ３３が、図５Ａに図示されるように、アダプター１４の閉鎖を確実にするために、フレーム３４に設けられることができる。
【００７８】
アダプター１６が反転可能ではない場合に、シェービング補助部の第１面３２Ａはシェービング中に使用される。それ故に、シェービング補助部３２の第１面３２Ａが使い古された場合に、使用者は、アダプター１６を新しいものと交換する。図５Ｂに最も良く記載されるように、使用者は、ヒンジ３５まわりでフレームの一方の部品を他方の部品に関して回動させることでアダプター１６を開く。使用者は次いで、アダプター１６内にシェービングカートリッジを包囲することによって新しいアダプター１６を取り付けることができ、図５Ａに図示されるように、カミソリ１０によってシェービングすることができる。
【００７９】
そのようなアダプターが反転可能である場合に、使用者は、シェービング補助部３２の第１面３２Ａが使い古された場合にフレーム３４を反転させることができ、それによって、シェービング補助部３２の第２面３２Ｂがシェービング中に使用されることができる。実際に、使用者は、（図５Ｂに図示されるように）ヒンジ３４を開くことによって、シェービングカートリッジ１４からフレーム３４を分離する。（図５Ｂに示されるように）アダプターがシェービングカートリッジ１４から完全に分離された場合に、使用者は例えば、軸Ｘ−Ｘまわりでアダプターを回すことによってアダプターを反転させることができる。図５Ａに記載されるように、刃先２２を覆っていたフレームの第１の開口部３６Ａは、シェービングカートリッジ１４に対してフレーム３４を反転させた後で、ハウジング２４Ｄの下部分を覆っている（図示せず）。それに対して、ハウジングの下面を覆っていた第２の開口部３８Ａは、シェービングカートリッジ１４に対してフレーム３４を反転させた後でシェービングブレード２０を覆っている（図示せず）。上面２４Ｃでシェービングカートリッジ１４に接続されたアダプター１６の第１の開口部３６Ａは、反転後に、ハウジングの下面２４Ｄに接続される。それに対して、その下面２４Ｄにおいてシェービングカートリッジ１４に接続されたアダプター１６の第２の開口部３６Ｂは、反転後に、ハウジングの上面２４Ｃに接続される。その後、カミソリは、さらなるシェービングのために、シェービング補助部とともに再び使用される準備ができている。
【００８０】
上記に開示されたアダプターのそれぞれには、シェービング補助部ホルダー４６が設けられていることができる。このシェービング補助部ホルダー４６は、フレーム３４と一体であり、又は、例えば図８に記載されるように、アダプター１６のフレーム３４から切り離されるように、フレームに取り外し可能に取り付けられる。この場合において、シェービング補助部３２が使い古された場合に、フレーム１６は、シェービングカートリッジ１４に対して維持されることができ、使用者は、シェービング補助部３２を新しいものと交換するために、シェービング補助部ホルダー４６を取り外すことができ、或いは、使用者は、シェービング補助部ホルダー４６を反転させることができる。
【００８１】
反転性に関して議論する場合に、フレームに設けられたシェービング補助部のうちの少なくとも１つが２つの対向面を有し、前記２つの対向面のそれぞれがその面を反転させることによってシェービング中に連続して使用されることができることを意味することは理解されるべきである。一のシェービング補助部３２の対向する面３２Ａ及び３２Ｂのこの反転は、シェービングカートリッジ１４に対して完成したアダプター１６（もっと正確に言えばフレーム３４）を反転させることによって、及び／又は、フレーム３４に関してシェービング補助部３２のホルダー４６を反転させることによって、得られてもよい。アダプター（フレーム及び／又は各シェービング補助部）の反転性は、特に回すことによって又は反転によって得られる。
【００８２】
シェービング補助部３２は好ましくは、フレーム３４に関して静止している。このことは、シェービング補助部３２のホルダー４６が特にシェービング中にフレーム３４に関して移動することができないことを意味する。しかしながら、本願発明は、この種の実施形態に限定されない。シェービング補助部３２は、フレーム３４に関して移動可能とされてもよく、例えば、シェービング補助部３２のホルダー４６がフレーム３４に関して曲げることができ、又は平行移動することができる。
【００８３】
アダプターは好ましくは、プラスチック、例えばＰＰ、ＰＳ及び／又はＡＢＳなどの熱可塑性物質の中から選択された材料を備える。
【００８４】
本願発明のアダプターには、（アダプターの都合が悪い分離のリスクを避ける）安全なシェービングのために、シェービングカートリッジ１４に対するアダプター１６の取付を可能にし、且つ、スライドが起こった後でシェービングカートリッジ１４に対してアダプター１６をしっかりと維持することを可能にするように、フレーム３４に１つ以上の突起５０が設けられることができる。他の手段がシェービングの際にアダプターの都合が悪い分離のリスクを避けるために、シェービングカートリッジに対してアダプターをしっかりと保持するように設けられることができる。
【００８５】
本願発明のアダプターの反転性は、上記に開示したように、シェービングカートリッジに対してアダプターを回動する／回す／旋回することによって得られる。
【符号の説明】
【００８６】
１０  ウェット式カミソリ
１２  カミソリハンドル、ハンドル本体
１４  シェービングカートリッジ
１６  アダプター
１８  シェービングアセンブリ
２０  シェービングブレード
２２  刃先
２４  ハウジング
２６  ガードバー
２８  ルブラ
３０  接続手段
３２  シェービング補助部
３３  タブ
３４  フレーム
４２  第１の端部
４４  第２の端部
４６  シェービング補助ホルダー
５０  突起
【図１Ａ】
0006594474.tif 000002
【図１Ｂ】
0006594474.tif 000003
【図１Ｃ】
0006594474.tif 000004
【図１Ｄ】
0006594474.tif 000005
【図１Ｅ】
0006594474.tif 000006
【図１Ｆ】
0006594474.tif 000007
【図１Ｇ】
0006594474.tif 000008
【図１Ｈ】
0006594474.tif 000009
【図１Ｉ】
0006594474.tif 000010
【図１Ｊ】
0006594474.tif 000011
【図１Ｋ】
0006594474.tif 000012
【図２Ａ】
0006594474.tif 000013
【図２Ｂ】
0006594474.tif 000014
【図２Ｃ】
0006594474.tif 000015
【図２Ｄ】
0006594474.tif 000016
【図２Ｅ】
0006594474.tif 000017
【図２Ｆ】
0006594474.tif 000018
【図３Ａ】
0006594474.tif 000019
【図３Ｂ】
0006594474.tif 000020
【図４Ａ】
0006594474.tif 000021
【図４Ｂ】
0006594474.tif 000022
【図４Ｃ】
0006594474.tif 000023
【図４Ｄ】
0006594474.tif 000024
【図４Ｅ】
0006594474.tif 000025
【図４Ｆ】
0006594474.tif 000026
【図４Ｇ】
0006594474.tif 000027
【図４Ｈ】
0006594474.tif 000028
【図５Ａ】
0006594474.tif 000029
【図５Ｂ】
0006594474.tif 000030
【図６】
0006594474.tif 000031
【図７】
0006594474.tif 000032
【図８】
0006594474.tif 000033
【図９Ａ】
0006594474.tif 000034
【図９Ｂ】
0006594474.tif 000035
【図９Ｃ】
0006594474.tif 000036
【図１０】
0006594474.tif 000037